(57)【要約】【課題】水滴が入り込むのを抑制できるベビーカー用レインカバーを提供する。【解決手段】乳幼児を乗せて運ぶベビーカー２に装着されるベビーカー用レインカバー１である。ベビーカー用レインカバー１は、ベビーカー２に装着されてベビーカー２の前側に配置される開口１１が形成された本体部１０と、開口１１を開閉する開閉窓２０と、本体部１０に対して開閉窓２０を脱着可能に取り付ける取付部３０と、を備える。これにより、本体部１０に対して開閉窓２０を取り外すという僅かな時間で、ベビーカー２の前側を開いた状態にすることができる。また、本体部１０から取り外された開閉窓２０を、開閉窓２０に付着した水滴が開口１１から本体部１０の内側に入り込まない位置に保管しておくことができる。【選択図】図１
2017226337.tif 000002
【特許請求の範囲】
【請求項１】
乳幼児を乗せて運ぶベビーカーに装着されるベビーカー用レインカバーであって、
前記ベビーカーに装着されて前記ベビーカーの前側に配置される開口が形成された本体部と、
前記開口を開閉する開閉窓と、
前記本体部に対して前記開閉窓を脱着可能に取り付ける取付部と、
を備える、
ベビーカー用レインカバー。
【請求項２】
前記本体部は、
前記開口から前記ベビーカーの上側に向けて延びる天面部と、
前記開口から前記ベビーカーの右側に向けて延びて前記天面部に接続される右側面部と、
前記開口から前記ベビーカーの左側に向けて延びて前記天面部に接続される左側面部と、
前記開口から前記ベビーカーの下側に向けて延びて前記右側面部及び前記左側面部に接続される下側連結部と、を有する、
請求項１に記載のベビーカー用レインカバー。
【請求項３】
前記開口及び開閉窓は、角部が角丸に形成された角丸矩形状である、
請求項１又は２に記載のベビーカー用レインカバー。
【請求項４】
前記開閉窓は、
シート状に形成された透明のシート部と、
前記シート部の周縁部に取り付けられて、その弾性力により前記シート部を広げる無端状のワイヤフレーム部と、を有する、
請求項１〜３の何れか一項に記載のベビーカー用レインカバー。
【請求項５】
前記取付部は、線ファスナーである、
請求項１〜４の何れか一項に記載のベビーカー用レインカバー。
【請求項６】
前記開口の上方において前記ベビーカーの前方に延びる庇部を更に備える、
請求項１〜５の何れか一項に記載のベビーカー用レインカバー。
【発明の詳細な説明】
【技術分野】
【０００１】
本発明は、ベビーカーに装着されるベビーカー用レインカバーに関する。
【背景技術】
【０００２】
特許文献１には、ベビーカーに装着されるベビーカー用レインカバーが記載されている。このベビーカー用レインカバーは、ベビーカーのハンドルを除く全体を覆うカバー本体と、ハンドルを覆うハンドルカバー部と、で構成されている。カバー本体は、スライドファスナーにより開閉可能な正面カバーを備えており、正面カバーを開くことで、カバー本体の内側に手を入れることができるようになっている。
【先行技術文献】
【特許文献】
【０００３】
【特許文献１】特開２０１４−１７７２１１号公報
【発明の概要】
【発明が解決しようとする課題】
【０００４】
特許文献１に記載されたベビーカー用レインカバーでは、スライドファスナーを開き、正面カバーを巻き上げて上面カバーの上に仮置きすることで、正面カバーが開いた状態となる。しかしながら、正面カバーを巻き上げるには相応の時間がかかる。このため、正面カバーを巻き上げている途中で、正面カバーに付着している水滴がカバー本体の内側に入り込む可能性が高い。また、巻き上げた正面カバーは上面カバーの上に仮置きされるため、正面カバーを巻き上げた後も、正面カバーに付着している水滴が上面カバーを伝ってカバー本体の内側に入り込む可能性が高い。
【０００５】
そこで、本発明は、水滴が入り込むのを抑制できるベビーカー用レインカバーを提供することを目的とする。
【課題を解決するための手段】
【０００６】
本発明に係るベビーカー用レインカバーは、乳幼児を乗せて運ぶベビーカーに装着されるベビーカー用レインカバーであって、ベビーカーに装着されてベビーカーの前側に配置される開口が形成された本体部と、開口を開閉する開閉窓と、本体部に対して開閉窓を脱着可能に取り付ける取付部と、を備える。
【０００７】
本発明に係るベビーカー用レインカバーでは、取付部により本体部に対して開閉窓を脱着することで、ベビーカーの前側に配置される開口を開閉することができる。つまり、本体部に対して開閉窓を取り外すという僅かな時間で、ベビーカーの全体を覆った状態から、ベビーカーの前側を開いた状態にすることができる。なお、ベビーカーの前側を開いた状態にすることで、本体部の内側に手を入れたり、乳幼児を乗せ降ろししたりすることが可能となる。しかも、本体部から取り外された開閉窓は、自由に持ち運ぶことができるため、開閉窓に付着した水滴が開口から本体部の内側に入り込まない位置に保管しておくことができる。このため、本体部の内側に水滴が入り込むのを抑制することができる。
【０００８】
この場合、本体部は、開口からベビーカーの上側に向けて延びる天面部と、開口からベビーカーの右側に向けて延びて天面部に接続される右側面部と、開口からベビーカーの左側に向けて延びて天面部に接続される左側面部と、開口からベビーカーの下側に向けて延びて右側面部及び左側面部に接続される下側連結部と、を有してもよい。このベビーカー用レインカバーでは、開閉窓の全周が、本体部の天面部、右側面部、左側面部及び下側連結部に囲まれているため、開閉窓を取り外した際にも、本体部の形状が維持されやすくなる。
【０００９】
また、開口及び開閉窓は、角部が角丸に形成された角丸矩形状であってもよい。このベビーカー用レインカバーでは、開口及び開閉窓が、角部が角丸に形成された角丸矩形状であるため、本体部の開口を広くとることができるとともに、本体部から取り外された開閉窓の取扱い性を向上させることができる。
【００１０】
また、開閉窓は、シート状に形成された透明のシート部と、シート部の周縁部に取り付けられて、その弾性力によりシート部を広げる無端状のワイヤフレーム部と、を有してもよい。このベビーカー用レインカバーでは、本体部に開閉窓を取り付けた際は、シート部は、ワイヤフレーム部の弾性力により広げられて、ワイヤフレーム部に張設される。これにより、ベビーカーに乗っている乳幼児の視界を良好にすることができる。一方、本体部から開閉窓を取り外した際は、ワイヤフレーム部を捩じって折り畳むことで、開閉窓を３つの円が重ねられたような状態に変形させることができる。これにより、開閉窓の収納性を向上させることができる。
【００１１】
また、取付部は、線ファスナーであってもよい。このベビーカー用レインカバーでは、線ファスナーにより本体部に対して開閉窓が脱着可能に取り付けられるため、本体部に対する開閉窓の脱着を容易かつ確実に行うことができる。
【００１２】
また、開口の上方においてベビーカーの前方に延びる庇部を更に備えてもよい。このベビーカー用レインカバーでは、開口の上方においてベビーカーの前方に延びる庇部を備えるため、本体部と開閉窓との接続箇所に雨水が溜まるのを抑制することができるとともに、当該接続箇所から本体部の内側に雨水が浸み込むのを抑制することができる。
【発明の効果】
【００１３】
本発明によれば、水滴が入り込むのを抑制できる。
【図面の簡単な説明】
【００１４】
【図１】実施形態に係るベビーカー用レインカバーをベビーカーに取り付けた状態を示す斜視図である。
【図２】実施形態に係るベビーカー用レインカバーをベビーカーに取り付けた状態を示す正面図である。
【図３】実施形態に係るベビーカー用レインカバーをベビーカーに取り付けた状態を示す側面図である。
【図４】図３に示すＩＶ−ＩＶ線における断面図である。
【図５】図１において本体部に対して開閉窓を取り外した状態を示す斜視図である。
【図６】開閉窓を示す正面図である。
【図７】開閉窓の収納方法を説明するための図である。
【発明を実施するための形態】
【００１５】
以下、図面を参照して、本発明に係るベビーカー用レインカバーの好適な実施形態について詳細に説明する。なお、図面中の同一又は相当部分には同一符号を付すこととする。
【００１６】
図１は、実施形態に係るベビーカー用レインカバーをベビーカーに取り付けた状態を示す斜視図である。図２は、実施形態に係るベビーカー用レインカバーをベビーカーに取り付けた状態を示す正面図である。図３は、実施形態に係るベビーカー用レインカバーをベビーカーに取り付けた状態を示す側面図である。図１〜図３に示すように、本実施形態に係るベビーカー用レインカバー１は、乳幼児を乗せて運ぶベビーカー２に装着されるレインカバーである。ベビーカー２は、乳母車などとも呼ばれる。なお、ベビーカー用レインカバー１の上下、前後、左右の方向は、ベビーカー２に装着された状態における方向をいう。
【００１７】
ベビーカー２は、フレーム３と、フレーム３に固定されたシート４と、フレーム３のシート４よりも下方の位置に固定されたステップ５と、フレーム３に回転自在に取り付けられた車輪６と、フレーム３から上方に延びるハンドル７と、フレーム３に揺動可能に取り付けられてシート４の上方を覆うルーフ８と、を備える。シート４は、乳幼児が寝たり座ったりするための部材であり、ステップ５は、乳幼児が足を置くための部材である。
【００１８】
ベビーカー用レインカバー１は、ベビーカー２に装着される本体部１０と、本体部１０に対して脱着可能に取り付けられる開閉窓２０と、本体部１０に対して開閉窓２０を脱着可能に取り付ける取付部３０と、を備える。
【００１９】
図４は、図３に示すＩＶ−ＩＶ線における断面図である。図５は、図１において本体部に対して開閉窓を取り外した状態を示す斜視図である。図１〜図５に示すように、本体部１０は、ベビーカー２の略全体を覆う部材である。本体部１０は、水の浸入を防止できる素材によりシート状に形成されている。本体部１０に、ベビーカー２の前側に配置される開口１１が形成されている。開口１１は、本体部１０の表裏面を貫通する開口である。開口１１は、本体部１０の内側に手を入れたり、シート４に対して乳幼児を乗せ降ろししたりするための開口である。開口１１の形状及び大きさは、特に限定されるものではないが、シート４に対して乳幼児を乗せ降ろしできるように、乳幼児が通り抜けることができる形状及び大きさであることが好ましい。本実施形態では、開口１１は、角部が角丸に形成された角丸矩形状に形成されているものとして説明する。この場合、開口１１の上端は、ルーフ８よりも少し下方に位置することが好ましい。また、開口１１の下端は、シート４の座面とステップ５との間に位置することが好ましい。また、開口１１の幅は、シート４の幅と略同じであることが好ましい。
【００２０】
本体部１０は、開口１１からベビーカー２の上側に向けて延びる天面部１２と、開口１１からベビーカー２の右側に向けて延びて天面部１２に接続される右側面部１３と、開口１１からベビーカー２の左側に向けて延びて天面部１２に接続される左側面部１４と、開口１１からベビーカー２の下側に向けて延びて右側面部１３及び左側面部１４に接続される下側連結部１５と、を備える。これにより、開閉窓２０の全周が、本体部１０の天面部１２、右側面部１３、左側面部１４及び下側連結部１５に囲まれている。また、本体部１０は、ベビーカー２の後側に配置されて右側面部１３及び左側面部１４に接続される背部１６と、天面部１２からベビーカー２の後側に向けて延びる垂部１７と、開口１１の上方においてベビーカー２の前方に延びる庇部１８と、を備える。
【００２１】
天面部１２は、ベビーカー２のルーフ８に被せられることで、シート４の上方を覆う。右側面部１３は、シート４の右方を覆う。左側面部１４は、シート４の左方を覆う、下側連結部１５は、ステップ５の前方を覆う。背部１６は、シート４の後方を覆う。垂部１７は、ハンドル７の間からベビーカー２の後方に垂れ下げられて、シート４の上部の後方を覆う。なお、垂部１７は、背部１６等に設けられた紐などにより、ベビーカー２の後方において仮止めされる。庇部１８は、天面部１２の外表面に取り付けられて、開口１１の上方の少なくとも一部を覆う。
【００２２】
右側面部１３及び左側面部１４のそれぞれには、開口１１付近から略三角状に延びる透明の窓部１３ａ，１４ａが設けられている。また、窓部１３ａ，１４ａのそれぞれには、通気用のメッシュ部１３ｂ，１４ｂが設けられている。メッシュ部１３ｂ，１４ｂの位置、形状、大きさ等は、特に限定されるものではない。例えば、メッシュ部１３ｂ，１４ｂの位置は、後方の頂部付近とすることができる。また、メッシュ部１３ｂ，１４ｂの形状は、円形、三角形等とすることができる。
【００２３】
図６は、開閉窓を示す正面図である。図１〜図６に示すように、開閉窓２０は、本体部１０に対して脱着されることで、開口１１を開閉する部材である。開閉窓２０は、開口１１を開閉するために、開口１１に対応した形に形成されている。本実施形態では、開口１１が角丸矩形状に形成されているため、開閉窓２０も、角部が角丸に形成された角丸矩形状に形成されている。この場合、開閉窓２０は、開口１１と同じ大きさに形成されていてもよいが、開口１１よりも少し大きく形成されていていることが好ましい。
【００２４】
開閉窓２０は、シート状に形成された透明のシート部２１と、シート部２１の周縁部に取り付けられて、その弾性力によりシート部２１を広げる無端状のワイヤフレーム部２２と、を備える。
【００２５】
シート部２１は、開閉窓２０の本体を構成して開口１１を閉じる部位であり、水の浸入を防止できる素材で形成されている。
【００２６】
ワイヤフレーム部２２は、細長い偏平ワイヤにより形成されている。シート部２１の周縁部には、シート部２１の全周を覆う袋部２３が取り付けられており、ワイヤフレーム部２２は、この袋部２３に挿入されている。ワイヤフレーム部２２としては、鉄、ステンレスなどの弾性変形可能な素材を用いることができる。
【００２７】
取付部３０は、本体部１０に対して開閉窓２０を着脱可能に取り付ける部材である。取付部３０としては、線ファスナー、面ファスナー等を用いることができるが、本実施形態では、取付部３０として線ファスナーを用いるものとして説明する。
【００２８】
取付部３０は、本体部１０に取り付けられた第一歯列部３１と、開閉窓２０に取り付けられた第二歯列部３２と、第一歯列部３１と第二歯列部とを組み合わせるスライダ３３と、を備える。第一歯列部３１及び第二歯列部３２は、テープに複数の務歯（エレメント）と呼ばれる歯が配列されたものである。スライダ３３は、第一歯列部３１及び第二歯列部３２に沿ってスライドさせることで第一歯列部３１及び第二歯列部３２の務歯を組み合わせるものである。なお、スライダ３３は、第二歯列部３２に対して脱着不能に取り付けられており、第一歯列部３１に対して脱着可能に取り付けられる。
【００２９】
次に、ベビーカー用レインカバー１の使用方法、特に、本体部１０に対して開閉窓２０を脱着する方法について説明する。
【００３０】
まず、本体部１０に対して開閉窓２０を取り付けた状態で、ベビーカー２にベビーカー用レインカバー１を装着する。そして、本体部１０の内側に手を入れたり、シート４に対して乳幼児を乗せ降ろししたりする際は、取付部３０により、本体部１０に対して開閉窓２０を取り外す。本体部１０に対する開閉窓２０の取り外しは、スライダ３３をスライドさせて第二歯列部３２に対して第一歯列部３１を分離させた後、スライダ３３から第一歯列部３１を取り外すことにより行うことができる。これにより、本体部１０の開口１１が開くため、この開口１１から、本体部１０の内側に手を入れたり、シート４に対して乳幼児を乗せ降ろししたりすることができる。このとき、図７の（ａ）に示すように、開閉窓２０のワイヤフレーム部２２を捩じって折り畳むことで、図７の（ｂ）に示すように、開閉窓２０を３つの円が重ねられたような状態に変形させることができる。そして、折り畳んだ開閉窓２０を、任意の位置に収納しておく。なお、開閉窓２０を収納する際は、必ずしも開閉窓２０を折り畳む必要はない。
【００３１】
その後、取付部３０により、本体部１０に対して開閉窓２０を取り付ける。本体部１０に対する開閉窓２０の取り付けは、スライダ３３に第一歯列部３１を取り付けた後、スライダ３３をスライドさせて第二歯列部３２に対して第一歯列部３１を組み合わせることにより行うことができる。これにより、本体部１０の開口１１が閉じられる。また、取付部３０は、ワイヤフレーム部２２の弾性力によりシート部２１が広げられた状態に保持される。
【００３２】
このように、本実施形態に係るベビーカー用レインカバー１では、取付部３０により本体部１０に対して開閉窓２０を脱着することで、ベビーカー２の前側に配置される開口１１を開閉することができる。つまり、本体部１０に対して開閉窓２０を取り外すという僅かな時間で、ベビーカー２の全体を覆った状態から、ベビーカー２の前側を開いた状態にすることができ、これにより、本体部１０の内側に手を入れたり、シート４に対して乳幼児を乗せ降ろししたりすることができる。しかも、本体部１０から取り外された開閉窓２０は、自由に持ち運ぶことができるため、開閉窓２０に付着した水滴が開口１１から本体部１０の内側に入り込まない位置に保管しておくことができる。このため、本体部の内側に水滴が入り込むのを抑制することができる。
【００３３】
また、開閉窓２０の全周が、本体部１０の天面部１２、右側面部１３、左側面部１４及び下側連結部１５に囲まれているため、開閉窓２０を取り外した際にも、本体部１０の形状が維持されやすくなる。
【００３４】
また、開口１１及び開閉窓２０が、角部が角丸に形成された角丸矩形状であるため、本体部１０の開口１１を広くとることができるとともに、本体部１０から取り外された開閉窓２０の取扱い性を向上させることができる。
【００３５】
また、本体部１０に開閉窓２０を取り付けた際は、シート部２１は、ワイヤフレーム部２２の弾性力により広げられて、ワイヤフレーム部２２に張設される。これにより、ベビーカー２に乗っている乳幼児の視界を良好にすることができる。一方、本体部１０から開閉窓２０を取り外した際は、ワイヤフレーム部２２を捩じって折り畳むことで、開閉窓２０を３つの円が重ねられたような状態に変形させることができる。これにより、開閉窓２０の収納性を向上させることができる。
【００３６】
また、線ファスナーにより本体部１０に対して開閉窓２０が脱着可能に取り付けられるため、本体部１０に対する開閉窓２０の脱着を容易かつ確実に行うことができる。
【００３７】
また、開口１１の上方においてベビーカー２の前方に延びる庇部１８を備えるため、本体部１０と開閉窓２０との接続箇所に雨水が溜まるのを抑制することができるとともに、当該接続箇所から本体部１０の内側に雨水が浸み込むのを抑制することができる。
【００３８】
以上、本発明の好適な実施形態について説明したが、本発明は上記実施形態に限定されるものではない。
【符号の説明】
【００３９】
１…ベビーカー用レインカバー、２…ベビーカー、３…フレーム、４…シート、５…ステップ、６…車輪、７…ハンドル、８…ルーフ、１０…本体部、１１…開口、１２…天面部、１３…右側面部、１３ａ…窓部、１３ｂ…メッシュ部、１４…左側面部、１４ａ…窓部、１４ｂ…メッシュ部、１５…下側連結部、１６…背部、１７…垂部、１８…庇部、２０…開閉窓、２１…シート部、２２…ワイヤフレーム部、２３…袋部、３０…取付部、３１…第一歯列部、３２…第二歯列部、３３…スライダ。
【図１】
2017226337.tif 000003
【図２】
2017226337.tif 000004
【図３】
2017226337.tif 000005
【図４】
2017226337.tif 000006
【図５】
2017226337.tif 000007
【図６】
2017226337.tif 000008
【図７】
2017226337.tif 000009